(57)【要約】【課題】本発明は、開口枠に設けた窓の室内側に面格子を設けた開口部構造とすることで、外観的に窓周りの美観を損なうことがなく、室外側に向かって開くタイプの窓であっても面格子を窓から大きく突出する構造としなくても良いため強度的に有利であり、窓外の通行人の障害となることもなく、窓の開放限界が最大限有効に出来るため十分な開放感が得られ、面格子を開口枠内に収めることで室内側にカーテン等の窓掛け類を取り付けることが出来、室内側からの見栄えも良い開口部構造を提供することを可能にすることを目的としている。【解決手段】建物の窓の室内側Ｂの木枠３の開口枠内に面格子５を設けて構成したことを特徴とする。【選択図】      図１
2004232318.tif 000002
【特許請求の範囲】
【請求項１】
建物の開口部構造であって、
開口枠に設けた窓の室内側の開口枠内に面格子を設けたことを特徴とする開口部構造。
【発明の詳細な説明】
【０００１】
【発明の属する技術分野】
本発明は、建物の開口部構造に関し、特に開口枠に設けた窓に面格子が設けられる開口部構造に関するものである。
【０００２】
【従来の技術】
建物の開口枠に設けた窓に防犯用の面格子を設ける場合、室外側に設けるのが一般である。室外側に向かって開くタイプの窓（例えば、開き窓、竪辷（たてすべ）り出し窓、横辷り出し窓等）は、単体で使用するときは開放感があるが、道路や通路に面していたり窓位置が侵入し易い位置である場合、防犯のために面格子を室外側に設けようとすると、面格子を窓から大きく突出する構造としなければならず、強度的に不利であるばかりでなく面格子の突出幅が窓の開放限界となっていた。
【０００３】
一方、火災等の緊急時に窓からの脱出を可能とする共に防犯を兼ねる移動式の面格子を室内側に突出して設けたものもある（例えば、特許文献１参照。）。
【０００４】
【特許文献１】
実用新案登録第２５１０９００号公報
【０００５】
【発明が解決しようとする課題】
しかしながら、前述の従来例において、室外側に向かって開くタイプの窓に防犯のために面格子を室外側に設けようとすると、面格子を窓から大きく突出する構造としなければならず、強度的に不利であるばかりでなく、窓外の通行人に対する安全性も考慮しなければならず、侵入不可能な格子間隔を維持すると鳥かごのようになり、外観的に窓周りの美観を損ない、面格子の突出幅が窓の開放限界となるため十分な開放感が得られないという問題があった。
【０００６】
また、特許文献１の技術では、面格子が開口枠の室内側面よりさらに室内側に突出して設けられるため、室内側にカーテン等の窓掛け類を取り付けることが出来ず、室内側からの見栄えも悪かった。しかも生活空間に入り込んでいるため邪魔でもあった。
【０００７】
本発明は前記課題を解決するものであり、その目的とするところは、外観的に窓周りの美観を損なうことがなく、室外側に向かって開くタイプの窓であっても面格子を窓から大きく突出する構造としなくても良いため強度的に有利であり、窓外の通行人の障害となることもなく、窓の開放限界が最大限有効に出来るため十分な開放感が得られ、室内側にカーテン等の窓掛け類を取り付けることが出来、室内側からの見栄えも良い開口部構造を提供せんとするものである。
【０００８】
【課題を解決するための手段】
前記目的を達成するための本発明に係る開口部構造は、建物の開口部構造であって、開口枠に設けた窓の室内側の開口枠内に面格子を設けたことを特徴とする。
【０００９】
本発明は、上述の如く構成したので、開口枠に設けた窓の室内側の開口枠内に面格子を設けたことで、外観的に窓周りの美観を損なうことがなく、室外側に向かって開くタイプの窓であっても窓の開閉時に面格子が干渉することがなく、窓の開放限界が最大限有効に出来るため十分な開放感が得られる。また、面格子を窓から大きく突出する構造としなくても良いため強度的に有利であり、窓外の通行人の障害となることもない。また、面格子を開口枠内に収めることで室内側にカーテン等の窓掛け類を取り付けることが出来、室内側からの見栄えも良い。
【００１０】
また、前記開口枠として、建物開口部の室内側の木枠、または窓の室内側のサッシ枠に面格子を設けることが出来る。面格子を建物開口部の室内側の木枠に取り付けた場合には面格子を室外に露出する窓のサッシ枠と熱的に遮断することが出来、面格子での結露を防止することが出来る。また、面格子を窓の室内側のサッシ枠に取り付けた場合には面格子とサッシ枠とを予め一体化して工場生産することが出来、現場での施工性に優れる。
【００１１】
また、前記面格子として、前記開口枠に固定される固定部材と、窓の大きさに対応した長さを有する格子部材と、前記格子部材の両端部に遊嵌されたナット部材とを有し、前記ナット部材が前記固定部材に設けられたネジ部に螺合締着され、該ナット部材と前記固定部材のネジ部との径方向で且つ室内側に該ナット部材と固定部材とを係止する係止手段とを有する構成とすることが出来る。
【００１２】
このような構成によれば、既存の建物の開口枠に設けた窓の室内側の開口枠内に面格子を容易に取り付けることが出来、面格子を開口枠内に収めることが容易に出来る。また、室外側から取り外すことも容易でないため防犯性能に優れる。また、格子部材の両端部に遊嵌されたナット部材を開口枠に固定される固定部材のネジ部に螺合締着することで寸法誤差を許容することが出来、必要に応じて係止手段を解除し、ナット部材を固定部材のネジ部から取り外すことで容易に面格子を除去することが出来、清掃や窓、網戸のメンテナンス等が容易に出来る。
【００１３】
格子部材は縦方向に配置され、人が通過できない（例えば、頭部がすり抜けられない大きさの）格子間隔に設定することが出来る。
【００１４】
前記面格子を取り付ける窓は、竪辷り出し窓、横辷り出し窓等の外側に開く窓に好適であるが、引き違い窓、観音開き窓等の各種の窓にも適用することが出来る。
【００１５】
また、竪辷り出し窓、横辷り出し窓等の開閉を制御するためのハンドル等が前記面格子の格子部材から外れた位置に配置されるように該面格子を前記開口枠に設ければ好ましい。
【００１６】
【発明の実施の形態】
図により本発明に係る建物の開口部構造の一例として竪辷り出し窓が設けられる開口枠の室内側の開口枠内に面格子を設けた場合の一実施形態を具体的に説明する。図１は本発明に係る開口部構造を示す斜視説明図、図２は面格子の一例を示す正面図、図３（ａ），（ｂ）は面格子の詳細を示す正面図及び断面図である。
【００１７】
図１において、建物の開口部１には、アルミニウム製、或いはアルミニウム製サッシ枠に樹脂を複合させて室外側Ａと室内側Ｂとを断熱した構造を有する断熱サッシ枠等のサッシ枠２が設けられており、その室内側Ｂに木枠３が設けられている。サッシ枠２には図示しない竪辷り出し窓が開閉可能に設けられており、その竪辷り出し窓の開閉機構部２ａのハンドル２ｂを操作することで竪辷り出し窓を開閉することが出来る。２ｃはサッシ枠２に嵌め込まれた網戸であり、４は内装下地材となる石膏ボードである。
【００１８】
開口枠となる建物開口部１の窓の室内側Ｂの木枠３の開口枠内には、面格子５が設けられている。本実施形態の面格子５は、図２及び図３に示すように、開口枠となる木枠３に固定される合成樹脂製の固定部材６と、窓の大きさに対応した長さを有するステンレス製の格子部材７と、格子部材７の両端部に遊嵌された合成樹脂製のナット部材８とを有して構成される。
【００１９】
木枠３の開口枠内面の所定位置には、円柱状の固定部材６が取付ネジ９により固定される。固定部材６には予め取付ネジ９を挿通する孔６ａが軸方向に設けられており、その孔６ａに連続して取付ネジ９の頭部を収容する溝部６ｂが形成されている。また、固定部材６の外周面にはナット部材８に螺合し得るネジ部６ｃが形成されている。
【００２０】
格子部材７は木枠３の開口形状に応じた長さを有しており、本実施形態では木枠３の縦方向の開口長さに応じた長さを有する管材により構成されている。格子部材７の両端部はナット部材８のハンドル部に設けられた貫通孔８ａに挿通された状態で拡管されており、ナット部材８のナット部８ｃを固定部材６のネジ部６ｃに螺合締着し、格子部材７の拡管部７ａがナット部材８の貫通孔８ａに連通する溝部８ｂに収容された状態で遊嵌される。
【００２１】
ナット部材８のナット部８ｃ及び固定部材６のネジ部６ｃには、それ等の径方向で且つ室内側Ｂに係止手段となる止めネジ１０が締結されて係止される。尚、本実施形態では係止手段となる止めネジ１０が面格子５の両端部に設けられた一例について説明するが、一方の端部のみに係止手段となる止めネジ１０が締結されて係止され、例えば、室外側Ａから容易に手が届かない位置や高さに設定された他端部はロックしない構成とすることも出来る。この場合、メンテナンス等のために面格子５を取り外すのが容易である。
【００２２】
本実施形態では、ナット部材８のナット部８ｃの径方向に止めネジ１０が挿通される貫通孔が形成されると共に、固定部材６のネジ部６ｃの径方向に止めネジ１０が締着される締着孔が形成されており、止めネジ１０が締着される締着孔が室内側Ｂに配置されるように固定部材６が取付ネジ９により木枠３の開口面に取り付けられ、固定部材６のネジ部６ｃに螺合されるナット部材８は、止めネジ１０が挿通される貫通孔が室内側Ｂに配置され、固定部材６の締着孔と一致する位置まで螺合され、該ナット部材８の貫通孔及び固定部材６の締着孔に止めネジ１０を締結してナット部材８と固定部材６とが係止される。
【００２３】
また、本実施形態では、図１及び図２に示すように、格子部材７の中間部に合成樹脂製の補強格子部材１１が設けられている。補強格子部材１１は縦方向の格子部材７を挿通する挿通孔が形成されており、リベット１２により格子部材７に係止されて固定され、格子部材７を補強する。これにより長い格子部材７の撓みによる隙間の拡大を防止して防犯性能を維持することが出来る。
【００２４】
面格子５は、前述した特許文献１と比較して簡単な構成であり、木枠３の開口枠内に容易に収めることが出来るため、木枠３の開口枠内で面格子５よりも更に室内側Ｂにカーテンレール１３を取り付けるスペースを容易に確保出来、室内側Ｂにカーテン１４等の窓掛け類を取り付けることが出来、室内側Ｂからの見栄えも良い。
【００２５】
上記構成によれば、室内側Ｂに配置される開口枠となる木枠３に面格子５を設けたことで、外観的に窓周りの美観を損なうことがなく、室外側Ａに向かって開くタイプの窓であっても窓の開閉時に面格子５が干渉することがなく、窓の開放限界が最大限有効に出来るため十分な開放感が得られる。
【００２６】
また、室外側Ａに面格子を設けた従来例のように面格子を窓から大きく突出する構造としなくても良いため強度的に有利であり、窓外の通行人の障害となることもない。
【００２７】
また、開口枠として、建物開口部１の室内側Ｂの木枠３に面格子５を取り付けたことで、面格子５を室外に露出する窓のサッシ枠２と熱的に遮断することが出来、面格子５での結露を防止することが出来る。
【００２８】
また、他の開口枠として、窓の室内側Ｂのサッシ枠２に面格子５を設けることも出来る。面格子５を窓の室内側Ｂのサッシ枠２に取り付けた場合には面格子５とサッシ枠２とを予め一体化して工場生産することが出来、現場での施工性に優れる。
【００２９】
また、面格子５として、木枠３やサッシ枠２等の開口枠に固定される固定部材６と、窓の大きさに対応した長さを有する格子部材７と、該格子部材７の両端部に遊嵌されたナット部材８とを有し、該ナット部材８が固定部材６に設けられたネジ部６ｃに螺合締着され、該ナット部材８と固定部材６のネジ部６ｃとの径方向で且つ室内側Ｂに該ナット部材８と固定部材６とを係止する止めネジ１０等の係止手段とを有する構成とすれば、既存の建物の開口枠に設けた窓の室内側Ｂに面格子５を容易に取り付けることが出来、室外側Ａから取り外すことも容易でないため防犯性能に優れる。
【００３０】
また、格子部材７の両端部に遊嵌されたナット部材８を開口枠に固定される固定部材６のネジ部６ｃに螺合締着することで寸法誤差を許容することが出来、必要に応じて止めネジ１０等の係止手段を解除し、ナット部材８を固定部材６のネジ部６ｃから取り外すことで容易に面格子５を除去することが出来、清掃や窓、網戸のメンテナンス等が容易に出来る。
【００３１】
格子部材７は、図１に示すように縦方向に配置され、人が通過できない（例えば、頭部がすり抜けられない大きさの）格子間隔に適宜設定することが出来、窓の大きさに応じて格子部材７の本数や補強格子部材１１の本数等を適宜選択すれば良い。
【００３２】
尚、格子部材７は縦方向に限定する必要はなく、横方向や斜め方向であっても良く、適宜形状にデザイン変形された格子部材７や補強格子部材１１を採用しても良い。また、補強格子部材１１の取付構造等も他の各種の取付構造が適用出来、更には格子部材７だけで十分な強度が得られる場合には補強格子部材１１を省略することも出来る。
【００３３】
面格子５を取り付ける窓は、図１に示すような竪辷り出し窓以外にも、横辷り出し窓等の外側に開く窓に好適であるが、その他に引き違い窓、観音開き窓等の各種の窓にも適用することが出来る。
【００３４】
また、竪辷り出し窓、横辷り出し窓等の開閉を制御するための開閉機構部２ａのハンドル２ｂが面格子５の格子部材７や補強格子部材１１から外れた位置に配置されるように面格子５が木枠３やサッシ枠２等の開口枠に設けられる。尚、手動開閉装置以外にも電動等による自動開閉装置を備えた竪辷り出し窓や横辷り出し窓等にも適用出来る。
【００３５】
【発明の効果】
本発明は、上述の如き構成と作用とを有するので、開口枠に設けた窓の室内側の開口枠内に面格子を設けた開口部構造とすることで、外観的に窓周りの美観を損なうことがなく、室外側に向かって開くタイプの窓であっても面格子を窓から大きく突出する構造としなくても良いため強度的に有利であり、窓外の通行人の障害となることもなく、窓の開放限界が最大限有効に出来るため十分な開放感が得られ、面格子を開口枠内に収めることで室内側にカーテン等の窓掛け類を取り付けることが出来、室内側からの見栄えも良い開口部構造を提供することが出来る。
【図面の簡単な説明】
【図１】本発明に係る開口部構造を示す斜視説明図である。
【図２】面格子の一例を示す正面図である。
【図３】（ａ），（ｂ）は面格子の詳細を示す正面図及び断面図である。
【符号の説明】
Ａ…室外側
Ｂ…室内側
１…開口部
２…サッシ枠
２ａ…開閉機構部
２ｂ…ハンドル
２ｃ…網戸
３…木枠
４…石膏ボード
５…面格子
６…固定部材
６ａ…孔
６ｂ…溝部
６ｃ…ネジ部
７…格子部材
７ａ…拡管部
８…ナット部材
８ａ…貫通孔
８ｂ…溝部
８ｃ…ナット部
９…取付ネジ
１０…止めネジ
１１…補強格子部材
１２…リベット
１３…カーテンレール
１４…カーテン
【図１】
2004232318.tif 000003
【図２】
2004232318.tif 000004
【図３】
2004232318.tif 000005